(57)【要約】【課題】簡易な操作によって詰替え容器の詰替え流出口を被詰替え容器の口首部に連通させて、安定した状態で内容物を被詰替え容器に詰め替えさせることのできる詰替え容器用栓体を提供する。【解決手段】詰替え容器１１の口首部１２に取り付けて用いられる詰替え容器用栓体１０であって、固定部１７と可動部１８とからなる。固定部１７は、筒状スライドガイド部１７ａと、内容物の流出開口１９が形成された開口天板部１７ｂとを備えてる。可動部１８は、固定部１７の筒状スライドガイド部１７ａの外周面に沿ってスライド移動する筒状スライド部１８ａと、筒状スライド部１８ａから張り出して設けられた張出し当接部１８ｂと、流出開口１９に嵌着した状態で配置される開口蓋部２０と、筒状スライド部１８ａの先端部分に接合され、筒状スライド部１８ａと開口蓋部２０とを連結すると共に開口蓋部２０を支持する連結支持部１８ｃとを備える。【選択図】図５
2014076836.tif 000002
【特許請求の範囲】
【請求項１】
詰替え流出口を覆って詰替え容器に取り付けて用いられる詰替え容器用栓体であって、
前記詰替え流出口の開口周縁部分に固定される固定部と、該固定部に対してスライド移動可能に取り付けられた可動部とからなり、
前記固定部は、筒状スライドガイド部と、該筒状スライドガイド部の先端開口部分に設けられ、内容物の流出開口が形成された開口天板部とを備えており、
前記可動部は、前記筒状スライドガイド部の外周面に沿ってスライド移動する筒状スライド部と、該筒状スライド部の基端部分から外側に張り出して設けられた張出し当接部と、前記筒状スライドガイド部の内側において、前記固定部の前記流出開口に嵌着した状態で配置される開口蓋部と、前記筒状スライド部の先端部分に接合され、前記筒状スライド部と前記開口蓋部とを連結すると共に前記開口蓋部を支持する連結支持部とを備えており、
被詰替え容器の口首部に前記筒状スライド部を挿入して、前記張出し当接部を該口首部の先端に当接させ、前記固定部をさらに該口首部に押し込むことにより、前記可動部を前記固定部に対してスライド移動させると共に、前記開口蓋部が前記流出開口に嵌着した状態を開放させて、前記流出開口を介して内容物を前記詰替え容器から前記被詰替え容器に流入させる詰替え容器用栓体。
【請求項２】
前記詰替え容器は、先端開口が前記詰替え流出口となっている口首部を備えており、該口首部に前記固定部が固定される請求項１記載の詰替え容器用栓体。
【請求項３】
前記固定部の前記開口天板部から上方に立設して、先端が前記可動部の天端部の高さ以上の高さ位置に配置される誤作動防止壁が、前記可動部をスライド移動させる際の前記連結支持部との緩衝を回避した状態で設けられている請求項１又は２記載の詰替え容器用栓体。
【請求項４】
前記固定部の前記開口天板部の周縁部分から上方に立設して、液ガイド壁が、前記可動部をスライド移動させる際の前記連結支持部との緩衝を回避した状態で設けられている請求項１〜３のいずれか１項記載の詰替え容器用栓体。
【請求項５】
前記可動部が前記固定部に対してスライド移動した後に、前記可動部の前記筒状スライド部の内周面と前記固定部の前記筒状スライドガイド部の外周面との間に０．１ｍｍ以上１．０ｍｍ以下のクリアランスが保持される請求項１〜４のいずれか１項記載の詰替え容器用栓体。
【発明の詳細な説明】
【技術分野】
【０００１】
本発明は、詰替え容器用栓体に関し、特に、詰替え流出口を覆って詰替え容器に取り付けて用いられる詰替え容器用栓体に関する。
【背景技術】
【０００２】
近年、各種の液体や、その他の内容物を収納する合成樹脂製の容器についても、環境負荷の低減が図られるようになっており、使用する樹脂量を減らした薄肉の容器が種々開発されている。また、各種の洗剤や食品等を収納する容器として、パウチ等による詰替え容器が多く用いられている。詰替え容器は、収納した内容物を、吐出ノズル部や注出部を備える被詰替え容器に詰め替えたり補充したりすることで、高価な被詰替え容器をその都度廃棄することなく、長期間使用できるようにする。
【０００３】
一方、パウチ等による詰替え容器は、柔軟性や可撓性に富んだ軟包材によって形成されており、詰め替え作業の際に容器が変形し易く、きわめて不安定な状態となり易い。また、詰替え容器による内容物の詰め替え作業は、例えば、ａ）ノズル部の先端を切断する、ｂ）傾けて注ぐ、ｃ）傾けた状態を保持する、ｄ）絞る、ｅ）こぼれないように注意しつつ廃棄する、といった作業ステップによって行われるが、これらの作業ステップによる内容物の詰め替え作業は、多くの手間を要することになると共に、作業中に内容物をこぼし易い。
【０００４】
このようなことから、軟包材によって形成された容器の詰替え流出口を被詰替え容器の口首部に確実に連結して、詰め替え易さを向上させた詰替え容器が提案されている（例えば、特許文献１参照）。特許文献１の詰替え容器では、詰替え流出口に、内周面に雌ねじが形成された筒部を有する栓体が取り付けられており、被詰替え容器の口首部の外周面に形成された雄ねじに、筒部の雌ねじを螺合して、被詰替え容器の口首部に詰替え容器の詰替え流出口を連結するようになっている。
【先行技術文献】
【特許文献】
【０００５】
【特許文献１】特開２００６−８９１３３号公報
【発明の概要】
【発明が解決しようとする課題】
【０００６】
しかしながら、特許文献１の詰替え容器では、栓体の筒部の先端開口を覆うキャップやシール部を取り外したり、筒部を被詰替え容器の口首部に螺合する操作を必要とし、作業性に劣ることから、例えばワンアクションの簡易な操作によって、詰替え流出口を被詰替え容器の口首部に容易に且つ確実に連通できるようにすると共に、安定した状態で内容物の詰め替え作業を行えるようにする、新たな技術の開発が望まれている。
【０００７】
本発明は、詰替え容器に取り付けて用いられ、簡易な操作によって詰替え容器の詰替え流出口を被詰替え容器の口首部に連通させることができると共に、安定した状態で内容物を被詰替え容器に詰め替えさせることのできる詰替え容器用栓体を提供することを目的とする。
【課題を解決するための手段】
【０００８】
本発明は、詰替え流出口を覆って詰替え容器に取り付けて用いられる詰替え容器用栓体であって、前記詰替え流出口の開口周縁部分に固定される固定部と、該固定部に対してスライド移動可能に取り付けられた可動部とからなり、前記固定部は、筒状スライドガイド部と、該筒状スライドガイド部の先端開口部分に設けられ、内容物の流出開口が形成された開口天板部とを備えており、前記可動部は、前記筒状スライドガイド部の外周面に沿ってスライド移動する筒状スライド部と、該筒状スライド部の基端部分から外側に張り出して設けられた張出し当接部と、前記筒状スライドガイド部の内側において、前記固定部の前記流出開口に嵌着した状態で配置される開口蓋部と、前記筒状スライド部の先端部分に接合され、前記筒状スライド部と前記開口蓋部とを連結すると共に前記開口蓋部を支持する連結支持部とを備えており、被詰替え容器の口首部に前記筒状スライド部を挿入して、前記張出し当接部を該口首部の先端に当接させ、前記固定部をさらに該口首部に押し込むことにより、前記可動部を前記固定部に対してスライド移動させると共に、前記開口蓋部が前記流出開口に嵌着した状態を開放させて、前記流出開口を介して内容物を前記詰替え容器から前記被詰替え容器に流入させる詰替え容器用栓体を提供することにより、上記目的を達成したものである。
【発明の効果】
【０００９】
本発明の詰替え容器用栓体によれば、詰替え容器に取り付けて用いられて、簡易な操作によって詰替え容器の詰替え流出口を被詰替え容器の口首部に連通させることができると共に、安定した状態で内容物を被詰替え容器に詰め替えさせることができる。
【図面の簡単な説明】
【００１０】
【図１】本発明の好ましい第１実施形態に係る詰替え容器用栓体を取り付けた詰替え容器によって、被詰替え容器に内容物を詰め替える状況を説明する略示正面図である。
【図２】本発明の好ましい第１実施形態に係る詰替え容器用栓体の斜視図である。
【図３】本発明の好ましい第１実施形態に係る詰替え容器用栓体の分解斜視図である。
【図４】本発明の好ましい第１実施形態に係る詰替え容器用栓体を構成する可動部の斜視図である。
【図５】（ａ）、（ｂ）は、本発明の好ましい第１実施形態に係る詰替え容器用栓体を用いて内容物を詰替え容器から被詰替え容器に詰め替える情況を説明する、上下逆さまにした状態で示す図２のＡ−Ａに沿った断面図である。
【図６】（ａ）は、本発明の好ましい第２実施形態に係る詰替え容器用栓体を構成する固定部を斜め上方から視た斜視図、（ｂ）は、可動部を斜め下方から視た斜視図である。
【図７】本発明の好ましい第２実施形態に係る詰替え容器用栓体を用いて内容物を詰替え容器から被詰替え容器に詰め替える情況を説明する、（ａ）は流出開口を開放する前の状態の斜視図、（ｂ）は（ａ）のＢ−Ｂに沿った断面図である。
【図８】本発明の好ましい第２実施形態に係る詰替え容器用栓体を用いて内容物を詰替え容器から被詰替え容器に詰め替える情況を説明する、（ａ）は流出開口を開放した後の状態の斜視図、（ｂ）は（ａ）のＣ−Ｃに沿った断面図である。
【発明を実施するための形態】
【００１１】
本発明の好ましい第１実施形態に係る詰替え容器用栓体１０は、図１に示すように、詰替え容器１１として例えば薄肉のボトル形状の容器の口首部１２に、これの先端開口による詰替え流出口（図示せず）を覆って取り付けられる。ここで、詰替え容器１１は、柔軟性や可撓性に富んだ軟包材によって形成されており、自立載置部となる底部１３と、内容物を注出させる口首部１２と、底部１３と口首部１２との間の胴部１４とを含んで構成される。詰替え容器１１は、好ましくは口首部１２を下方に配置した倒立状態で、内部に収容した内容物である内容液を、胴部１４自体を収縮変形させながら相当程度まで容易に注出させることが可能な可撓性を備えている。
【００１２】
また、本第１実施形態の詰替え容器用栓体１０は、詰替え流出口を封止した状態で詰替え容器１１の口首部１２に一体として固定されており、詰め替え作業の際に、詰替え容器１１の口首部１２と共に被詰替え容器１５の口首部１６に押し込むことで、好ましくはワンアクションの簡易な操作によって、詰替え流出口を被詰替え容器１５の口首部１６に連通させる機能を備えると共に、詰替え流出口から被詰替え容器１５に、内容液を外部に漏れ出させることなくスムーズに流入させる機能を備える。
【００１３】
そして、本第１実施形態の詰替え容器用栓体１０は、例えば口首部１２の先端開口による詰替え流出口（図示せず）を覆ってボトル形状の詰替え容器１１に取り付けて用いられる栓部材であって、図２〜図３に示すように、詰替え流出口の開口周縁部分に固定される固定部１７と、固定部１７に対してスライド移動可能に取り付けられた可動部１８とからなる。固定部１７は、筒状スライドガイド部１７ａと、筒状スライドガイド部１７ａの先端開口部分に設けられ、内容物の流出開口１９が形成された開口天板部１７ｂ（図３参照）とを備えており、可動部１８は、固定部１７の筒状スライドガイド部１７ａの外周面に沿ってスライド移動する筒状スライド部１８ａと、筒状スライド部１８ａの基端部分から外側に張り出して設けられた張出し当接部１８ｂと、固定部１７の筒状スライドガイド部１７ａの内側において、固定部１７の流出開口１９に嵌着した状態で配置される開口蓋部２０（図４、図５（ａ）参照）と、筒状スライド部１８ａの先端部分に接合され、筒状スライド部１８ａと開口蓋部２０とを連結すると共に開口蓋部２０を支持する連結支持部１８ｃとを備えている。
【００１４】
図１及び図５（ａ）、（ｂ）に示すように、被詰替え容器１５の口首部１６に可動部１８の筒状スライド部１８ａを挿入して、張出し当接部１８ｂを口首部１６の先端に当接させ、固定部１７をさらに口首部１６に押し込むことにより、可動部１８を固定部１７に対してスライド移動させると共に、開口蓋部２０が流出開口１９に嵌着した状態を開放させて（図５（ｂ）参照）、流出開口１９を介して内容物である例えば液体洗剤等の内容液を、詰替え容器１１から被詰替え容器１５に流入させるようになっている。
【００１５】
また、本第１実施形態の詰替え容器用栓体１０では、固定部１７の開口天板部１７ｂ（図３参照）から上方に立設して、先端が可動部１８の天端部の高さ以上の高さ位置（本実施形態では、同じ高さ位置）に配置される誤作動防止壁２１が（図２参照）、可動部１８をスライド移動させる際の連結支持部１８ｃとの緩衝を回避した状態で設けられている。
【００１６】
誤作動防止壁２１は、本第１実施形態では、固定部１７の開口天板部１７ｂの周縁部分から上方に立設して、可動部１８をスライド移動させる際の連結支持部１８ｃとの緩衝を回避した状態で設けられる、液ガイド壁２２を兼ねたものとなっている。
【００１７】
本第１実施形態では、詰替え容器用栓体１０は、例えばポリプロピレン、ポリエチレン、ポリエチレンテレフタレート等の合成樹脂や、ポリ乳酸等のバイオプラスチックを用いた金型成形品であって、図１〜図３に示すように、好ましくは射出成形方法によって、固定部１７と可動部１８とからなる２パーツの部品として形成されている。
【００１８】
詰替え容器用栓体１０を構成する固定部１７は、上述のように、筒状スライドガイド部１７ａと、流出開口１９が形成された開口天板部１７ｂとを備えており、さらに、液ガイド壁２２を兼ねる誤作動防止壁２１と、固定スカート部２３とを含んで一体成形されている。
【００１９】
固定スカート部２３は、図５（ａ）、（ｂ）にも示すように、筒状スライドガイド部１７ａの下端外周面から外側に張り出して一体として設けられた円環状帯板部２３ｂと、円環状帯板部２３ｂの外周縁部から下方に延設して設けられた装着円筒部２３ａとからなる。装着円筒部２３ａの内側には、これと同心状に配置されて、筒状スライドガイド部１７ａの下端から下方に連設するインナーリング部２３ｃが設けられている。例えば装着円筒部２３ａとインナーリング部２３ｃとの間に詰替え容器１１の口首部１２を嵌め込むようにして、固定スカート部２３を口首部１２に向けて打ち込むことにより、嵌合形式によって、詰替え容器用栓体１０が詰替え容器１１の口首部１２に装着固定される（図１参照）。
【００２０】
筒状スライドガイド部１７ａは、固定スカート部２３の円環状帯板部２３ｂの内側縁部から上方に立設する円筒形状の部分である（図３参照）。筒状スライドガイド部１７ａの上端部外周面には、凹凸被係止面２４ａを形成する複数の環状凸条が、周方向に延設して設けられている。この凹凸被係止面２４ａに、可動部１８の筒状スライド部１８ａの下端部内周面に形成された凹凸係止面２４ｂ（図４、図５（ａ）参照）が係止されることにより、可動部１８を固定部１７に対してスライド移動させて流出開口１９が開放されるまでの間、開口蓋部２０が流出開口１９に嵌着している状態を、さらに強固に保持することが可能になる。
【００２１】
筒状スライドガイド部１７ａの先端開口部分に設けられた開口天板部１７ｂは、図３及び図５（ａ）、（ｂ）に示すように、本第１実施形態では、円筒形状の筒状スライドガイド部１７ａの先端部内周面から内側に張り出して設けられた、周方向に円環帯板形状に連続するリブ状の板部からなる。これによって、開口天板部１７ｂの内側には、筒状スライドガイド部１７ａと同心状に配置されて円形に開口する、流出開口１９が形成されることになる。
【００２２】
開口天板部１７ｂから上方に立設して設けられた誤作動防止壁２１は、本第１実施形態では、上述のように、液ガイド壁２２を兼ねたものとなっている。誤作動防止壁２１（液ガイド壁２２）は、開口天板部１７ｂの周縁部分から、筒状スライドガイド部１７ａの外径よりも僅かに小さな外径を有する略円筒形状に立設して設けられている。すなわち、誤作動防止壁２１（液ガイド壁２２）は、両側の端部の間に略矩形形状の切欠きガイド部２５を各々介在させて対向配置された、一対の弧状壁２６によって形成されている。これによって一対の切欠きガイド部２５もまた、径方向に対向して配置されることになる。一対の切欠きガイド部２５には、後述する可動部１８の連結支持部１８ｃの両端部の、筒状スライド部１８ａへの接合基端部分が各々配置されて、連結支持部１８ｃが上下に昇降移動できるようになっていることで、可動部１８をスライド移動させる際に、誤作動防止壁２１（液ガイド壁２２）が連結支持部１８ｃと緩衝するのを回避させることが可能になる。
【００２３】
また、本第１実施形態では、誤作動防止壁２１が、先端を、可動部１８の天端部の高さ以上の高さ位置として、連結支持部１８ｃの天端部と同じ高さ位置に配置して設けられている（図２、図５（ａ）参照）。誤作動防止壁２１が、先端を、可動部１８の天端部の高さ以上の高さ位置に配置して設けられていることにより、例えば詰替え容器１１の落下等によって、詰替え容器用栓体１０の先端が床面等に衝突した際に、衝突時の荷重を誤作動防止壁２１によって受けることで、衝突時の荷重が可動部１８に伝わるのを効果的に回避することが可能になる。これによって、可動部１８が固定部１７に対して不用意に移動することで、固定部１７の流出開口１９に嵌着した可動部１８の開口蓋部２０が誤作動により外れて、内容液が流出することになるのを効果的に回避することが可能になる。
【００２４】
さらに、本第１実施形態では、開口天板部１７ｂの周縁部分から立設する液ガイド壁２２は、被詰替え容器１５の口首部１６に可動部１８の筒状スライド部１８ａを挿入して、張出し当接部１８ｂを口首部１６の先端に当接させてから、固定部１７をさらに口首部１６に押し込むことにより、流出開口１９を開放させて、内容液を詰替え容器１１から被詰替え容器１５に流入させる際に、固定部１７が可動部１８に対してスライド移動することで、可動部１８の筒状スライド部１８ａよりもさらに奥深く、被詰替え容器１５の口首部１６に挿入されることになる。これによって、詰替え容器１１から被詰替え容器１５に流入する内容液を、当該液ガイド壁２２によって効果的に案内して、さらに容易に且つスムーズに内容液を詰め替えることが可能になる。
【００２５】
詰替え容器用栓体１０を構成する可動部１８は、上述のように、筒状スライド部１８ａと、張出し当接部１８ｂと、開口蓋部２０と、連結支持部１８ｃとを含んで一体成形されている。
【００２６】
筒状スライド部１８ａは、図２〜図４に示すように、固定部１７の筒状スライドガイド部１７ａの外径と略同様の内径を有する円筒形状の部分である。筒状スライド部１８ａの下端部内周面には、凹凸係止面２４ｂを形成する複数の環状凸条が、周方向に延設して設けられている。この凹凸係止面２４ｂが、固定部１７の筒状スライドガイド部１７ａの上端部外周面に形成された、上述の凹凸被係止面２４ａに係止されることにより、開口蓋部２０が流出開口１９に嵌着している状態を、より強固に保持することが可能になる。
【００２７】
張出し当接部１８ｂは、本第１実施形態では、円筒形状の筒状スライド部１８ａの基端部分（下端部分）から外側に、筒状スライド部１８ａの軸方向とは垂直な面に沿って板状に張り出して設けられた部分である。張出し当接部１８ｂは、全体として略長円形の外周平面形状を備えており、筒状スライド部１８ａを挟んだ両側に対称に配置された、一対の弧状張出し部２７からなる。両側の一対の弧状張出し部２７による張出し当接部１８ｂは、略長円形の外周平面形状の長径が、被詰替え容器１５の口首部１６の外径よりも大きくなっている。これによって、被詰替え容器１５の口首部１６に詰替え容器用栓体１０の可動部１８の筒状スライド部１８ａを挿入して、固定部１７をさらに口首部１６に押し込む際に、張出し当接部１８ｂを被詰替え容器１５の口首部１６の先端に確実に当接させることが可能になる（図１参照）。
【００２８】
また、本第１実施形態では、張出し当接部１８ｂを形成する一対の弧状張出し部２７における中央部分の外周縁部から垂直に立設して、位置ずれ防止リブ２７ａが各々設けられている。位置ずれ防止リブ２７ａが設けられていることにより、張出し当接部１８ｂが被詰替え容器１５の口首部１６の先端から外れることなく当接した状態を強固に保持して、詰替え容器用栓体１０の固定部１７を口首部１６に押し込む操作や、流出開口１９を開放させて内容液を詰替え容器１１から被詰替え容器１５に流入させる操作を、さらに安定した状態で行うことが可能になる。また、押し込んだ際に、弧状張出部２７の一部が変形し、それと連動する凹凸係止面２４ｂの一部が変形することで、嵌合力が下がり、軽い力で押し込むことが可能になる。
【００２９】
連結支持部１８ｃは、本第１実施形態では、天端面を筒状スライド部１８ａの天端面と合致させて、両端部を筒状スライド部１８ａの先端部内側に接合することにより、張出し当接部１８ｂの長径方向と直角に交差する方向の径方向に延設して、筒状スライド部１８ａに架設された支持梁部２８ａと、支持梁部２８ａから下方に延設して、下端部が開口蓋部２０の天面部２０ａに一体として接合される連結リブ部２８ｂとからなる。支持梁部２８ａは、固定部１７の誤作動防止壁２１（液ガイド壁２２）に形成された切欠きガイド部２５の切欠き幅よりも、僅かに小さい幅を有する帯板状部分であって、可動部１８が固定部１７に対してスライド移動するのに伴って、切欠きガイド部２５に沿って上下に昇降移動可能に配置される。連結リブ部２８ｂは、固定部１７の誤作動防止壁２１（液ガイド壁２２）よりも内側の領域において、支持梁部２８ａから下方に延設する一対の板状部分であって、下端部が開口蓋部２０の上面に一体として接合されていることで、支持梁部２８ａと開口蓋部２０とを連結する。これらによって、連結支持部１８ｃは、可動部１８が固定部１７に対してスライド移動するのに伴って、開口蓋部２０を上下に昇降移動させることができるように、安定した状態で開口蓋部２０を支持することが可能になる。
【００３０】
開口蓋部２０は、固定部１７の開口天板部１７ｂに形成された円形の流出開口１９の内径と同様の外径を有する、扁平な有天円筒状部分であって、天面部２０ａと、天面部２０ａの外周縁部から下方に折れ曲がって延設する、筒状係止部２０ｂとからなる。天面部２０ａの上面に、連結支持部１８ｃの下端部が一体として接合される。筒状係止部２０ｂの外周面には、凹凸係止面２９を形成する複数の環状凸条が、周方向に延設して設けられている。この凹凸係止面２９を、固定部１７の開口天板部１７ｂに形成された流出開口１９の開口端面に係止することにより、可動部１８を固定部１７に対してスライド移動させて流出開口１９が開放されるまでの間、開口蓋部２０を流出開口１９に嵌着して流出開口１９が閉塞されている状態を、強固に保持することが可能になる。また、流出開口部の液シール性を効果的に高めることが可能になる。
【００３１】
上述の構成を備える本第１実施形態の詰替え容器用栓体１０は、可動部１８の筒状スライド部１８ａを固定部１７の筒状スライドガイド部１７ａの上部に装着し、開口蓋部２０の凹凸係止面２９を固定部１７の流出開口１９の開口端面に係止することにより、流出開口１９を開口蓋部２０によって閉塞すると共に、筒状スライドガイド部１７ａの上端部外周面に形成された凹凸被係止面２４ａに、筒状スライド部１８ａの下端部内周面に形成された凹凸係止面２４ｂを係止して、固定部１７と可動部１８とを一体化した状態で、固定部１７の固定スカート部２３を介して詰替え容器１１の口首部１２に装着固定して用いられる（図１、図５（ａ）参照）。
【００３２】
そして、本第１実施形態の詰替え容器用栓体１０によれば、上述のように詰替え容器１１に取り付けて用いられて、簡易な操作によって詰替え容器１１の口首部１２の先端の詰替え流出口を、被詰替え容器１５の口首部１６に連通させることが可能になると共に、安定した状態で内容液を被詰替え容器１５に詰め替えさせることが可能になる。
【００３３】
すなわち、本第１実施形態によれば、詰替え容器用栓体１０は、固定部１７と、可動部１８とからなり、固定部１７は、筒状スライドガイド部１７ａと、内容物の流出開口１９が形成された開口天板部１７ｂとを備えており、可動部１８は、固定部１７の筒状スライドガイド部１７ａの外周面に沿ってスライド移動する筒状スライド部１８ａと、筒状スライド部１８ａの基端部分から外側に張り出す張出し当接部１８ｂと、筒状スライドガイド部１７ａの内側において流出開口１９に嵌着した状態で配置される開口蓋部２０と、筒状スライド部１８ａと開口蓋部２０とを連結して開口蓋部２０を支持する連結支持部１８ｃとを備えている。
【００３４】
したがって、本第１実施形態によれば、図１及び図５（ａ）、（ｂ）に示すように、例えば口首部１２を下方に配置した倒立状態で、詰替え容器１１を把持すると共に、詰替え容器１１の口首部１２に装着固定された、詰替え容器用栓体１０の可動部１８の筒状スライド部１８ａを、正立状態の被詰替え容器１５の口首部１６に挿入して、可動部１８の張出し当接部１８ｂを口首部１６の先端に当接させた後に、さらに固定部１７を口首部１６に押し込むだけの、一連のワンアクションの簡易な操作によって、可動部１８を固定部１７に対してスライド移動させることで、開口蓋部２０が流出開口１９に嵌着した状態を解除して、流出開口１９を容易に開放させることが可能になる。またこれによって、開放させた流出開口１９を介して、詰替え容器１１の詰替え流出口を被詰替え容器１５の口首部１６に連通させることができるので、被詰替え容器１５の口首部１６と可動部１８の筒状スライド部１８ａとの間の隙間を介して、被詰替え容器１５の内部を空気置換させながら、且つ可動部１８の筒状スライド部１８ａが被詰替え容器１５の口首部１６に挿入されていることで、安定させた状態で、内容液を、詰替え容器１１から被詰替え容器１５に、容易に且つスムーズに詰め替えさせることが可能になる。
【００３５】
また、スムーズなスライド移動が行われるようにすると共に、成形のし易さのために、可動部１８の筒状スライド部１８ａの内周面と固定部１７の筒状スライドガイド部１７ａの外周面との間には、可動部１８が固定部１７に対してスライド移動した後に、片側で０．１ｍｍ以上１．０ｍｍ以下のクリアランスが保持されることが好ましく、０．２ｍｍ以上０．５ｍｍ以下のクリアランスが保持されることが特に好ましい。これにより、可動部１８の開口蓋部２０は、固定部１７の開口天板部１７ｂに接するまで自由に移動することが可能となり、途中で内容液の詰替えを中断した場合でも、詰替え容器１１を被詰替え容器１５から取り外すことで、可動部１８の筒状スライド部１８ａを逆方向にスライド移動させて、流出開口１９を再度閉塞することが可能になる。つまり、被詰替え容器１５内の内容液が満量に近くなり、液溢れしそうな場合でも、液溢れをさせずに、詰替え容器１１から周囲に液が溢れ出るのを回避することが可能になる。さらに、可動部１８を逆方向に引き出すようにスライド移動させることによって、流出開口１９をリシールすることが可能となり、詰替え用の内溶液を詰替え容器１１に再度保存することが可能になる。
【００３６】
図６〜図８は、本発明の好ましい第２実施形態に係る詰替え容器用栓体３０を示すものである。本第２実施形態の詰替え容器用栓体３０は、上記第１実施形態の詰替え容器用栓体１０と同様に、例えばポリプロピレン、ポリエチレン、ポリエチレンテレフタレート等の合成樹脂や、ポリ乳酸等のバイオプラスチックを用いた金型成形品であって、固定部３７と可動部３８とからなる２パーツの部品として形成されている。
【００３７】
固定部３７は、上記第１実施形態の固定部１７と略同様に、筒状スライドガイド部３７ａと、流出開口３９が形成された開口天板部３７ｂとを備えており、さらに、誤作動防止壁４１と、固定スカート部４３とを含んで一体成形されている。本第２実施形態では、上記第１実施形態の流出開口１９よりも小径の円形の流出開口３９が、開口天板部３７ｂにおける誤作動防止壁４１を挟んだ両側に、環状補強リブ３９ａによって開口周縁部が補強された状態で一対形成されている。本第２実施形態では、誤作動防止壁４１は、縦長の略Ｉ字形の横断面計形状を有しており、開口天板部３７ｂを２等分割するようにして、これの中央部分に直径方向に配置されると共に、開口天板部３７ｂから、可動部３８の筒状スライド部３８ａよりも高い高さで立設した状態で設けられている。
【００３８】
可動部３８は、上記第１実施形態の可動部１７と略同様に、筒状スライド部３８ａと、張出し当接部３８ｂと、開口蓋部４０と、連結支持部３８ｃとを含んで一体成形されている。本第２実施形態では、上記第１実施形態の開口蓋部２０よりも小径の扁平な有天円筒状の開口蓋部４０が、可動部天板部５０に形成された長円形状の可動部流出開口５１における両端の半円形状の開口縁部から、下方に延設して設けられた連結リブ部４８ｂによって支持されることにより、固定部３７の流出開口３９と対応する位置に配置されて一対設けられている。ここで、筒状スライド部３８ａの先端部分を覆うようして接合された可動部天板部５０と、可動部天板部５０に形成された可動部流出開口５１の開口縁部から下方に延設して設けられた連結リブ部４８ｂとによって、開口蓋部４０を支持する連結支持部３８ｃが形成されることになる。
【００３９】
また、本第２実施形態では、可動部３８の筒状スライド部３８ａの先端部分に設けられた可動部天板部５０には、長円形状の可動部流出開口５１の長径方向と直角に交差する、当該可動部天板部５０の直径方向に延設して、防止壁挿通開口５２が形成されている。この防止壁挿通開口５２に、固定部３７の開口天板部３７ｂから立設する誤作動防止壁４１を挿通させることで、可動部３８を固定部３７に対してスライド移動させる際に、誤作動防止壁４１が、可動部天板部５０と連結リブ部４８ｂとからなる連結支持部３８ｃと緩衝するの回避させることが可能になる。
【００４０】
上述の構成を備える本第２実施形態の詰替え容器用栓体３０は、上記第１実施形態の詰替え容器用栓体１０と同様に、可動部３８の筒状スライド部３８ａを固定部３７の筒状スライドガイド部３７ａの上部に装着し、流出開口３９を開口蓋部４０によって閉塞すると共に、誤作動防止壁４１の先端部分を、可動部３８の可動部天板部５０よりもさらに突出させて、固定部３７と可動部３８とを一体化した状態で、固定部３７の固定スカート部４３を介して詰替え容器１１の口首部１２に装着固定して用いられる（図１、図７（ａ）、（ｂ）参照）。
【００４１】
そして、本第２実施形態の詰替え容器用栓体４０によっても、例えば口首部１２を下方に配置した倒立状態で、詰替え容器１１を把持すると共に、詰替え容器１１の口首部１２に装着固定された、詰替え容器用栓体３０の可動部３８の筒状スライド部３８ａを、正立状態の被詰替え容器１５の口首部１６に挿入して、可動部３８の張出し当接部３８ｂを口首部１６の先端に当接させた後に（図１参照）、さらに固定部３７を口首部１６に押し込むだけの、一連のワンアクションの簡易な操作によって、図７（ａ）、（ｂ）、及び図８（ａ）、（ｂ）に示すように、可動部３８を固定部３７に対してスライド移動させることで、開口蓋部４０が流出開口３９に嵌着した状態を解除して、流出開口３９を容易に開放させることが可能になるので、上記第１実施形態の詰替え容器用栓体１０と同様の作用効果が奏される。
【００４２】
なお、本発明は上記各実施形態に限定されることなく種々の変更が可能である。例えば、詰替え容器用栓体を用いて詰替え容器から被詰替え容器に詰め替えられる内容物は、液体洗剤等の内容液である必要は必ずしもなく、粉粒物等の流動性を有するその他の内容物であっても良い。また、詰替え容器用栓体は、ボトル形状の詰替え容器の口首部に取り付けて用いる必要は必ずしも無く、パウチやガセット袋等の、その他の軟包材によって形成された種々の詰替え容器の詰替え流出口を覆って取り付けて用いることもできる。詰替え容器には、口首部が設けられていなくいても良い。さらに、詰替え容器用栓体の固定部は、固定スカート部を装着固定することで詰替え流出口を覆って詰替え容器に取り付ける必要は必ずしも無く、シール接合等によって詰替え流出口を覆って詰替え容器に一体として取り付けることもできる。
【符号の説明】
【００４３】
１０，３０  詰替え容器用栓体
１１  詰替え容器
１２  詰替え容器の口首部
１５  被詰替え容器
１６  被詰替え容器の口首部
１７，３７  固定部
１７ａ，３７ａ  筒状スライドガイド部
１７ｂ，３７ｂ  開口天板部
１８，３８  可動部
１８ａ，３８ａ  筒状スライド部
１８ｂ、３８ｂ  張出し当接部
１８ｃ，３８ｃ  連結支持部
１９，３９  流出開口
２０，４０  開口蓋部
２１，４１  誤作動防止壁
２２  液ガイド壁
２３，４３  固定スカート部
２３ａ  装着円筒部
２３ｂ  円環状帯板部
２５  切欠きガイド部
２６  弧状壁
２７  弧状張出し部
２７ａ  位置ずれ防止リブ
５０  可動部天板部
５１  可動部流出開口
５２  防止壁挿通開口
【図１】
2014076836.tif 000003
【図２】
2014076836.tif 000004
【図３】
2014076836.tif 000005
【図４】
2014076836.tif 000006
【図５】
2014076836.tif 000007
【図６】
2014076836.tif 000008
【図７】
2014076836.tif 000009
【図８】
2014076836.tif 000010